(57)【要約】  通信ネットワーク内のユーザ装置、ネットワーク制御ノード、ネットワーク制御ノードにおいて実行される方法、およびユーザ装置において実行される方法が開示される。ユーザ装置において実行される方法は、着呼信号を受信することであって、着呼信号が複合型の自動応答およびラウドスピーカーアクティブ化標識を含む、受信することと、着呼信号に応じて、着呼に自動応答し、ユーザ装置のラウドスピーカーをアクティブ化することとを備える。
2018501734.tif 000002
【特許請求の範囲】
【請求項１】
通信ネットワーク内のユーザ装置において実行される方法であって、
着呼信号を受信することであって、前記着呼信号が、複合型の自動応答およびラウドスピーカーアクティブ化標識を含む、受信することと、
前記着呼信号に応じて、前記着呼信号に自動応答し、前記ユーザ装置のラウドスピーカーをアクティブ化するように前記ユーザ装置を制御することと
を備える、方法。
【請求項２】
前記着呼信号を受信する前に、
複合型の自動応答およびラウドスピーカーアクティブ化をサポートするように前記ユーザ装置を構成することと、
前記ユーザ装置の構成に関する情報を前記無線通信ネットワーク内のネットワーク制御ノードに送信することと
を備える、請求項１に記載の方法。
【請求項３】
ユーザ装置（５０）であって、
着呼信号を受信するように動作可能な受信機（１０）と、
ラウドスピーカー（３０）と、
複合型の自動応答およびラウドスピーカーアクティブ化標識を含む受信された着呼信号に応じて、前記着呼に自動応答し、前記ラウドスピーカーをアクティブ化するよう前記ユーザ装置を制御するように動作可能である制御ロジック（２０）と
を備える、ユーザ装置（５０）。
【請求項４】
ネットワーク制御ノードにおいて、所定のダイヤル番号を示す着呼信号を受信することと、
前記所定のダイヤル番号にマッピングされた少なくとも１つのユーザ装置を識別することと、
複合型の自動応答およびラウドスピーカーアクティブ化標識を含む呼信号を生成することと、
前記複合型の自動応答およびラウドスピーカーアクティブ化標識を有する前記呼信号を前記少なくとも１つのユーザ装置に送信することと
を備える、方法。
【請求項５】
前記所定のダイヤル番号を示す前記着呼信号が、自動応答および遠隔ラウドスピーカーアクティブ化要求標識子をさらに含む、請求項４に記載の方法。
【請求項６】
少なくとも１つのユーザ装置から構成情報を受信することであって、前記構成情報が、前記少なくとも１つのユーザ装置が複合型の自動応答および遠隔アクティブ化機能を現在サポートしているかを示す情報を含む、受信することと、
前記構成情報を格納することと
を備える、請求項４または５に記載の方法。
【請求項７】
前記呼信号を生成する前に、前記少なくとも１つのユーザ装置が、前記複合型の自動応答およびラウドスピーカーアクティブ化機能をサポートするように現在構成されているかを決定することと、
前記決定するステップが、前記機能が現在サポートされていることを示すことに応じて、前記呼信号を生成する前記ステップを実行することと
を備える、請求項６に記載の方法。
【請求項８】
少なくとも１つのユーザ装置への少なくとも１つの所定の番号の少なくとも１つのマッピングを受信する最初のステップであって、前記少なくとも１つのユーザ装置が、少なくともいくらかの時間は前記複合型の自動応答およびラウドスピーカーアクティブ化をサポートするように構成される、最初のステップと、
前記マッピングをデータベースに格納することとを備え、前記所定のダイヤル番号にマッピングされた前記少なくとも１つのユーザ装置を識別する前記ステップが、前記少なくとも１つのユーザ装置への前記所定のダイヤル番号の前記マッピングを格納する前記データベースにアクセスすることを備える、請求項４から７のいずれか一項に記載の方法。
【請求項９】
前記所定のダイヤル番号にマッピングされた前記少なくとも１つのユーザ装置の少なくとも１つが、前記複合型の自動応答およびラウドスピーカーアクティブ化機能をサポートするように現在構成されていないと決定したことに応じて、前記サポートの欠如の標識を前記着呼信号の発信元に送信し、前記呼信号を前記ユーザ装置に送信しない、請求項８に記載の方法。
【請求項１０】
ネットワーク制御ノードであって、
所定のダイヤル番号の標識を含む着呼信号を受信するように動作可能な受信機と、
前記所定のダイヤル番号にマッピングされた少なくとも１つのユーザ装置を識別するように動作可能な決定ロジックと、
自動応答およびラウドスピーカーアクティブ化標識を含む呼信号を生成し、前記少なくとも１つのユーザ装置に送信するように動作可能な送信ロジックと
を備える、ネットワーク制御ノード。
【請求項１１】
少なくとも１つのユーザ装置から構成情報を受信するための受信機であって、前記構成情報が、前記少なくとも１つのユーザ装置が複合型の自動応答および遠隔アクティブ化機能を現在サポートしているかを示す情報を含む、受信機と、
前記構成情報を記憶するためのデータ記憶と、
出力回路と、
少なくとも１つのユーザ装置が、自動応答および遠隔アクティブ化機能を現在サポートしているかを問い合わせする問い合わせに応じて、前記記憶された構成情報を出力するように前記出力回路を制御するための制御ロジックと
を備える、請求項１０に記載のネットワーク制御ノード。
【請求項１２】
無線通信ネットワーク内のユーザ装置において実行される方法であって、
少なくとも１つの他のユーザ装置への少なくとも１つの所定の番号の少なくとも１つのマッピングを前記マッピングに関連付けられた複合型の自動応答およびラウドスピーカーアクティブ化機能の標識と共にネットワーク制御ノードに送信することであって、前記少なくとも１つの他のユーザ装置が、少なくともいくらかの時間は複合型の自動応答およびラウドスピーカーアクティブ化をサポートするように構成される、送信すること
を備える、方法。
【請求項１３】
ユーザが前記少なくとも１つの所定の番号の１つにダイヤルしたことに応じて、前記自動応答およびラウドスピーカーアクティブ化機能が選択されるべきであるかをユーザが確認すべきであることを示すユーザ選好確認を表示するように前記ユーザ装置を制御することと、前記ユーザが前記機能を選択したことに応じて、呼信号を送信するように前記ユーザ装置を制御することであって、前記呼信号が、自動応答および遠隔ラウドスピーカーアクティブ化要求標識子と共に前記所定の番号を示す、制御することと、前記ユーザが前記機能を選択しなかったことに応じて、前記呼信号を送信するように前記ユーザ装置を制御することであって、前記呼信号が前記所定の番号を示す、制御することとを備える、請求項１２に記載の方法。
【請求項１４】
ユーザ装置であって、
少なくとも１つの他のユーザ装置への少なくとも１つの所定の番号のマッピングを前記マッピングに関連付けられた複合型の自動応答およびラウドスピーカーアクティブ化機能の標識と共にネットワーク制御ノードに送信するように動作可能な送信機を備え、前記少なくとも１つの他のユーザ装置が、少なくともいくらかの時間は複合型の自動応答およびラウドスピーカーアクティブ化をサポートするように構成される、ユーザ装置。
【請求項１５】
コンピュータにより実行された場合に、請求項１、２、４から９、１２および１３のいずれか一項に記載の前記方法を実行するように前記コンピュータを制御するように動作可能な、コンピュータプログラム。
【発明の詳細な説明】
【技術分野】
【０００１】
本発明は、通信ネットワークの分野と、そのようなネットワークにおけるユーザ装置機能の制御とに関する。
【背景技術】
【０００２】
通信の分野では、異なる状況に適応可能になる特定の機能をユーザ装置に提供することが知られている。たとえば、着呼などの着信情報をユーザに通知するユーザ装置の方法は、ユーザまたはユーザの周囲の他の人々が邪魔されないように消音することができる。これには、ユーザが着信情報に気づかず、ユーザに着信情報が適時に通知されないことがあるという欠点がある。
【０００３】
また、通信ネットワークにおいてパラレルリンギング機能を提供することが知られており、呼をいくつかのデバイスに並行して送ることができ、ユーザがあるデバイスで呼に応答すると、他のデバイスへの呼が切断される。
【０００４】
また、ユーザ装置は着呼に自動応答するように構成することができ、それによってユーザ装置に関連付けられたヘッドフォンを使用しているユーザが、ユーザ装置自体とインタラクションを行うことなく、呼に応じることが可能になり、これはユーザが運転中である場合などに有益であり得る。
【０００５】
ユーザは邪魔されることを望まない可能性があるが、特定のイベントを通知されることは重要である状況が存在する。ユーザが特定の着信情報を受信しつつ、他の着信情報により邪魔されないことを可能にすることが望ましいであろう。
【０００６】
米国特許出願公開第２０１０／０３２９４４１号では、アクティブ化パスワードまたは制御コードを有する電話機が開示されており、これにより、許可された発信者が電話機を制御し、場合によっては電話機の遠隔制御されるハンズフリーオーディオ機能を有効化することが可能になる。この発明は、多くの呼が迷惑な呼であってそれらに応答しないことをユーザが好み得ることを認識しつつ、適時に着呼の存在を知ることができない着信者の問題に対処する。電話機は、あらゆる呼に自動応答し、次いで検証を要求するように構成される。検証が前向きである場合、ラウドスピーカーをアクティブ化するが、そうでない場合、そのようにはしない。
【先行技術文献】
【特許文献】
【０００７】
【特許文献１】米国特許出願公開第２０１０／０３２９４４１号明細書
【非特許文献】
【０００８】
【非特許文献１】ＲＦＣ３８４０
【非特許文献２】ＲＦＣ３８４１
【発明の概要】
【課題を解決するための手段】
【０００９】
本発明の第１の態様は、通信ネットワーク内のユーザ装置において実行される方法であって、着呼信号を受信することであって、前記着呼信号が、複合型の自動応答およびラウドスピーカーアクティブ化標識を含む、受信することと、前記着呼信号に応じて、前記着呼に自動応答し、前記ユーザ装置のラウドスピーカーをアクティブ化するように前記ユーザ装置を制御することとを備える、方法を提供する。
【００１０】
本発明の発明者らは、ユーザ装置のユーザは、着呼により邪魔されないことを望み得るが、特定のイベントを通知される必要があり得る場合が存在することを認識した。これらの競合する要求は、着呼信号に関連付けられ得る自動応答およびラウドスピーカーアクティブ化標識を提供して、特定の着呼信号について、ユーザ装置が呼に自動応答しラウドスピーカーをアクティブ化することで、発信者により話されたあらゆるメッセージがラウドスピーカーによって出力されるようにすることによって対処することができ、これによりユーザは、ユーザ装置の近くにいる場合に、発信者により話されたメッセージを聞き、そのようにして状況を通知されることが、呼に応答する必要も、そのような標識が関連付けられていない他の着呼信号に気づく必要もなく可能になる。これはユーザが、仕事中に着呼によって邪魔されてはならないが、自分の入力が至急必要となり得る特定の緊急事態を通知されなければならない医師または他の救急隊員であり得る場合に、有益であり得る。
【００１１】
複合型の自動応答およびラウドスピーカーアクティブ化標識はいくつかの方式で提供できることに留意されたい。場合によっては、発信者の電話機における番号を、１つまたは複数の特定のユーザ装置およびこの機能にマッピングすることができる。そのような番号にダイヤルしたユーザは、電話メッセージが、呼が自動応答されラウドスピーカーがアクティブ化されるべきであるという何らかの形式の標識と共に、マッピングされたユーザ装置に送信される。ダイヤルされる番号は短縮ダイヤル番号とすることができ、これによりダイヤル者によって素早くかつ効率的に１つまたは複数のユーザ装置を示すことが可能になる。標識は、呼信号メッセージ内の、またはこれに関連付けられた標識子として提供することができ、これをユーザ装置が認識し応じるように構成される。
【００１２】
いくつかの実施形態では、ユーザ装置は、ユーザ装置が特定の時間に自動応答およびラウドスピーカーアクティブ化をサポートすることを望むか否かをユーザが選択できるように構成可能であり、他の実施形態では、ユーザ装置は、この機能を常にサポートするように製造時に構成することができる。
【００１３】
いくつかの実施形態では、前記ユーザ装置を構成する前記ステップは、前記自動応答およびラウドスピーカーアクティブ化機能のアクティブ化を選択するユーザから受信された入力信号に応じて実行することができる。
【００１４】
上記のように、ユーザ装置の構成を製造時またはその直後に実行して、このように動作するように永久的または少なくとも半永久的に構成されるようにすることができるが、場合によっては、ユーザが自動応答およびラウドスピーカーアクティブ化機能の有効化または無効化を選択できるように、ユーザによって構成することができる。場合によっては、ネットワークへのこの構成情報の送信は、ユーザがこの機能の変更を選択したことに応じて実行することができる。
【００１５】
ユーザ装置が自動応答しラウドスピーカーをアクティブ化したいか否か、またはこの機能を無効化したいかをユーザが選択できることが望ましい場合がある。たとえば、病院に勤務する医師は、緊急でなければ、患者に問診しているときに邪魔されることを望まないことがあり、緊急の場合、この緊急に即時に気づかされることが重要である。病院内で現在働いているか否かに応じてアクティブ化されるまたは無効化されるように構成可能な自動応答およびラウドスピーカーアクティブ化機能を彼らのユーザ装置に提供することによって、緊急が通知され、即時に情報が提供され、他の重要度が低い呼により邪魔されないことを可能にする便利な方式が提供される。
【００１６】
したがって、いくつかの実施形態では、本方法は、前記自動応答およびラウドスピーカーアクティブ化機能の無効化を選択するユーザからの入力信号に応じて、前記自動応答およびラウドスピーカーアクティブ化を今後サポートしないように前記ユーザ装置を構成し、前記ユーザ装置の前記構成に関する情報を前記通信ネットワーク内のネットワーク制御ノードに送信するさらなるステップを備える。
【００１７】
いくつかの実施形態では、前記情報を送信する前記ステップは、前記ユーザ装置を前記ネットワークに登録する際に実行される。
【００１８】
ユーザ装置の構成に関する情報を送信するステップは、異なる時間に実行することができ、単に周期的に実行されてもよいが、いくつかの実施形態では、ユーザ装置をネットワークに登録した時に実行して、ユーザ装置が登録されると、この機能がアクティブであるか否かをネットワークが認識するようにすると有利である。これに関して、ユーザがこの機能を度々変更することはありそうになく、ユーザ装置がネットワークに登録するときに、ネットワークにこの機能を認識させると便利である。他の実施形態では、ユーザ装置は、この構成情報の変更に応じてこの情報をネットワークに送信するように構成することができる。
【００１９】
本発明の第２の態様は、着呼信号を受信するように動作可能な受信機と、ラウドスピーカーと、複合型の自動応答およびラウドスピーカーアクティブ化標識を含む受信された着呼信号に応じて、前記着呼に自動応答し、前記ラウドスピーカーをアクティブ化するよう前記ユーザ装置を制御するように動作可能である制御ロジックとを備える、ユーザ装置を提供する。
【００２０】
本発明の第３の態様は、ネットワーク制御ノードにおいて、所定のダイヤル番号を示す着呼信号を受信することと、前記所定のダイヤル番号にマッピングされた少なくとも１つのユーザ装置を識別することと、自動応答およびラウドスピーカーアクティブ化標識を含む呼信号を生成することと、前記複合型の自動応答およびラウドスピーカーアクティブ化標識を有する前記呼信号を前記少なくとも１つのユーザ装置に送信することとを備える、方法を提供する。
【００２１】
本発明のこの態様は、無線通信ネットワークでは基地局であり得るネットワーク制御ノードにおいて実行される方法を提供し、またはボイスオーバーインターネットプロトコル通信を用いて通信が実行される場合、プロキシサーバなどのサーバとすることができる。特定のダイヤル番号への呼を示す着信信号が受信され、そのダイヤル番号にマッピングされた１つまたは複数のユーザ装置が識別され、次いで、複合型の自動応答およびラウドスピーカーアクティブ化標識を含む呼信号が生成され、これはダイヤル番号により標識されるユーザ装置に送信される。これに関して、マッピングに応じて、これは単一のユーザ装置または複数のユーザ装置に送信することができる。ダイヤルされる番号は短縮ダイヤル番号などとすることができ、これに１つまたは複数のユーザ装置がマッピングされる。ユーザ装置は、自動応答しラウドスピーカーをアクティブ化することによって、この呼信号に応じ、ユーザのユーザ装置が現在サイレントモードであっても、次いで送信されるあらゆるメッセージがユーザに伝えられることになる。
【００２２】
いくつかの実施形態では、前記呼信号を生成する前に、前記方法は、前記少なくとも１つのユーザ装置が、自動応答およびラウドスピーカーアクティブ化機能をサポートするように現在構成されているかを決定することと、前記決定するステップが、前記機能が現在サポートされていることを示すことに応じて、前記呼信号を生成する前記ステップを実行することとをさらに備える。
【００２３】
場合によっては、呼信号を、所定の番号にマッピングされたあらゆるユーザ装置に送信することができ、この複合型の自動応答およびラウドスピーカーアクティブ化機能を現在サポートしているユーザ装置のみがその番号にマッピングされてもよい。他の実施形態では、特定の時間にこの機能をサポートし得るユーザ装置を、その番号にマッピングすることができ、この場合、呼信号を生成する前に、ユーザ装置が複合型の自動応答およびラウドスピーカーアクティブ化機能をサポートするように現在構成されているかを最初に決定すると有利であり得る。ユーザ装置がそのように構成された場合にのみ、自動応答およびラウドスピーカーアクティブ化標識を有する呼信号が生成され、そうでなければ呼信号は破棄され得る。
【００２４】
いくつかの実施形態では、前記所定のダイヤル番号を示す前記着呼信号が、自動応答および遠隔ラウドスピーカーアクティブ化要求標識子をさらに含む。
【００２５】
着呼信号は、それ自体が、自動応答および遠隔ラウドスピーカーアクティブ化要求標識子を含むことができ、その結果ネットワーク制御ノードは、この受信された番号に応じて、複合型の自動応答およびラウドスピーカーアクティブ化標識を含む呼信号を生成すべきか否かを着呼信号内のこの標識子から認識する。代替的には、他の実施形態では、特定のダイヤル番号が特定のユーザ装置およびこの機能の両方に常にマッピングされてもよく、その結果、明示的な標識子が呼信号と共に必要とされず、ダイヤルされた番号がこの機能を示す。
【００２６】
いくつかの実施形態では、本方法は、少なくとも１つのユーザ装置への少なくとも１つの所定の番号の少なくとも１つのマッピングを受信する最初のステップと、前記マッピングをデータベースに格納することとを備える。
【００２７】
少なくとも１つのユーザ装置への所定の番号のマッピングは、ユーザ装置によってネットワーク制御ノードに送信し、ネットワーク制御ノードに格納することができる。このようにして、このマッピングを必要に応じて更新することができる。
【００２８】
いくつかの実施形態では、前記所定のダイヤル番号にマッピングされた前記少なくとも１つのユーザ装置を識別する前記ステップが、前記少なくとも１つのユーザ装置への前記所定のダイヤル番号の前記マッピングを格納する前記データベースにアクセスすることを備える。
【００２９】
所定のダイヤル番号にマッピングされたユーザ装置を識別するステップは、このマッピングを格納するデータベースにアクセスすることを備えることができる。これに関して、データベースはネットワーク制御ノード上にあってもよく、または遠隔の場所にあってもよい。
【００３０】
いくつかの実施形態では、複数のユーザ装置が前記所定のダイヤル番号にマッピングされ、送信する前記ステップは、前記自動応答および遠隔アクティブ化標識を有する前記呼信号を前記複数のユーザ装置のそれぞれに送信することを備える。
【００３１】
所定のダイヤル番号にマッピングされるのは単一のユーザ装置とすることができるが、いくつかの実施形態では、複数のユーザ装置をこの番号にマッピングすることができ、この場合、自動応答遠隔アクティブ化標識を有する呼信号がそれら全てに送信される。場合によっては、これが行われる前に、それぞれについて、この機能を現在サポートしているかが決定され、サポートしているもののみに呼信号が送信される。ユーザ装置で受信されると、呼信号は自動応答され、呼はアクティブ化されたラウドスピーカーを介して出力されて、発信者により話されたあらゆるメッセージを、ユーザ装置の近くのユーザによって聞くことができるようになる。これは、複数の救急隊員が全員、特定の緊急事態を同時に通知される緊急事態において有益であり得る。
【００３２】
いくつかの実施形態では、前記所定のダイヤル番号にマッピングされた前記少なくとも１つのユーザ装置の少なくとも１つが、前記自動応答およびラウドスピーカーアクティブ化機能をサポートするように現在構成されていないと決定したことに応じて、前記サポートの欠如の標識を前記着呼信号の発信元に送信する。
【００３３】
いくつかの実施形態では、ユーザ装置の１つまたは複数が自動応答およびラウドスピーカーアクティブ化をサポートするように現在構成されていないと決定された場合、この情報は呼信号の発信元に送信し戻される。特定のユーザ装置がこの機能をサポートするように現在構成されていない場合に、呼信号の生成元が認識することは重要である場合があり、特にそれを現在サポートしているユーザ装置が存在しない場合に、送信されたいかなる情報も、機能を現在サポートしていないユーザ装置に届かないことをこの情報の送信機が認識することは重要である。
【００３４】
いくつかの実施形態では、前記少なくとも１つのユーザ装置が自動応答およびラウドスピーカーアクティブ化機能をサポートするように現在構成されているかを決定する前記ステップは、前記構成情報をするデバイスに問い合わせ要求を送信し、前記デバイスから返答を受信することを備える。
【００３５】
ユーザ装置が自動応答およびラウドスピーカーアクティブ化機能をサポートするように現在構成されているか否かを決定するステップは、この情報を格納し、ユーザ装置からの信号により定期的に更新されるデータベースに問い合わせすることを備えることができる。このデータベースは、ネットワーク制御ノード自体に存在することができ、またはこの情報を取得するために問い合わせ要求を送信することを必要とする遠隔ノードに存在することができる。これに関して、たとえば、通信がボイスオーバーインターネットプロトコル（ＶｏＩＰ）システムを用いて送信される場合、複数のサーバを用いてこの情報を送信することによって、プロキシサーバがマッピングを格納し、信号を送ることができるが、さらなるロケーションサーバがユーザ装置からの構成情報を格納することができ、したがって、ユーザ装置がこの機能を現在サポートしているか否かを決定するためには、問い合わせ要求がこのデバイスに送信される必要があり得る。
【００３６】
いくつかの実施形態では、本方法は、少なくとも１つのユーザ装置から構成情報を受信することであって、前記構成情報が、前記少なくとも１つのユーザ装置が自動応答および遠隔アクティブ化機能を現在サポートしているかを示す情報を含む、受信することと、前記構成情報を格納することと、前記少なくとも１つのユーザ装置が、自動応答および遠隔アクティブ化機能を現在サポートしているかを問い合わせする問い合わせに応じて、前記格納された構成情報を出力することとを備える。
【００３７】
いくつかの実施形態では、本方法は、ユーザ装置に関する構成情報が格納されるネットワーク制御ノードで実行することができ、この構成情報は、ユーザ装置が自動応答および遠隔アクティブ化機能を現在サポートしているかについての情報を含む。このネットワーク制御ノードは、この情報を格納するだけでなく、それに関する問い合わせに応じるように構成され、それによって、特定のユーザ装置がこの機能を現在サポートしているか否かを他のネットワーク制御ノードが決定することができる。
【００３８】
本発明の第４の態様は、所定のダイヤル番号の標識を含む着呼信号を受信するように動作可能な受信機と、前記所定のダイヤル番号にマッピングされた少なくとも１つのユーザ装置を識別するように動作可能な決定ロジックと、自動応答およびラウドスピーカーアクティブ化標識を含む呼信号を前記少なくとも１つのユーザ装置に送信するように動作可能な送信ロジックとを備える、ネットワーク制御ノードを提供する。
【００３９】
いくつかの実施形態では、前記決定ロジックは、前記少なくとも１つのユーザ装置が自動応答および遠隔スピーカーアクティブ化機能をサポートするように現在構成されているかを決定するようにさらに動作可能であり、前記送信ロジックは、前記少なくとも１つのユーザ装置が前記機能をサポートするように現在構成されていることを前記決定ロジックが示したことに応じて、前記呼信号を送信する。ユーザ装置がこの機能をサポートするように現在構成されていないことを決定ロジックが示した場合、呼信号は送信されない。
【００４０】
いくつかの実施形態では、ネットワーク制御ノードは、少なくとも１つのユーザ装置から構成情報を受信するための受信機であって、前記構成情報が、前記少なくとも１つのユーザ装置が自動応答および遠隔アクティブ化機能を現在サポートしているかを示す情報を含む、受信機と、前記構成情報を記憶するためのデータ記憶と、出力回路と、少なくとも１つのユーザ装置が、自動応答および遠隔アクティブ化機能を現在サポートしているかを問い合わせする問い合わせに応じて、前記記憶された構成情報を出力するように前記出力回路を制御するための制御ロジックとを備える。
【００４１】
本発明の第５の態様は、無線通信ネットワーク内のユーザ装置において実行される方法であって、少なくとも１つの他のユーザ装置への少なくとも１つの所定の番号の少なくとも１つのマッピングを前記マッピングに関連付けられた複合型の自動応答およびラウドスピーカーアクティブ化機能の標識と共にネットワーク制御ノードに送信することであって、前記少なくとも１つの他のユーザ装置が、少なくともいくらかの時間は複合型の自動応答およびラウドスピーカーアクティブ化をサポートするように構成される、送信することを備える、方法を提供する。
【００４２】
少なくとも１つのユーザ装置への所定の番号のマッピングは、この所定の番号が自動応答およびラウドスピーカーアクティブ化の要求に関連付けられているという標識と共に、ネットワーク制御ノードに送信することができ、その結果、マッピングを格納することができ、次いでそのような番号がダイヤルされた場合に、この番号にマッピングされた少なくとも１つのユーザ装置に送信可能な自動応答およびラウドスピーカーアクティブ化機能標識を含み得る呼信号を生成することができる。
【００４３】
いくつかの実施形態では、本方法は、ユーザが前記少なくとも１つの所定の番号の１つにダイヤルしたことに応じて、前記自動応答およびラウドスピーカーアクティブ化機能が選択されるべきであるかをユーザが確認すべきであることを示すユーザ選好確認を表示するように前記ユーザ装置を制御することと、前記ユーザが前記機能を選択したことに応じて、呼信号を送信するように前記ユーザ装置を制御することであって、前記呼信号が、自動応答および遠隔ラウドスピーカーアクティブ化要求標識と共に前記所定の番号を示す、制御することと、前記ユーザが前記機能を選択しなかったことに応じて、前記呼信号を送信するように前記ユーザ装置を制御することであって、前記呼信号が前記所定の番号を示す、制御することとを備える。
【００４４】
場合によっては、所定のダイヤル番号は、自動応答およびラウドスピーカーアクティブ化機能が、この番号にマッピングされたユーザ装置に対して、機能を現在サポートしている場合に適用されるべきであることを示す。他の実施形態では、ユーザは、この機能が所定のダイヤル番号に適用されることを望むか否かを選択することができ、したがって、番号にダイヤルすると、ユーザ選好確認が表示され、ユーザ装置はこの機能が選択されるべきか否かを確認することができる。選択された場合、自動応答および遠隔ラウドスピーカーアクティブ化要求標識が呼信号と共に送信され、選択されなかった場合、自動応答および遠隔ラウドスピーカーアクティブ化要求標識が呼信号と共にネットワーク制御ノードに送信されない。
【００４５】
本発明の第６の態様は、ユーザ装置であって、少なくとも１つの他のユーザ装置へ少なくとも１つの所定の番号のマッピングを前記マッピングに関連付けられた複合型の自動応答およびラウドスピーカーアクティブ化機能の標識と共にネットワーク制御ノードに送信するように動作可能な送信機を備え、前記少なくとも１つの他のユーザ装置が、少なくともいくらかの時間は複合型の自動応答およびラウドスピーカーアクティブ化をサポートするように構成される、ユーザ装置を提供する。
【００４６】
本発明の第７の態様は、コンピュータにより実行された場合に、本発明の第１、第３、第５または第７の態様による前記方法を実行するように前記コンピュータを制御するように動作可能な、コンピュータプログラムを提供する。
【００４７】
さらなる特定の態様および好ましい態様が、添付の独立請求項および従属請求項に記載されている。従属請求項の特徴は、適切に、特許請求の範囲に明示的に記載された以外の組み合わせで、独立請求項の特徴と組みわせることができる。
【００４８】
装置の特徴がある機能を提供するように動作可能なものとして記載されている場合、これは、その機能を提供するか、またはその機能を提供するように適合されるもしくは構成される装置の特徴を含むことは理解されよう。
【００４９】
ここで、本発明の実施形態が、添付図面を参照してさらに説明される。
【図面の簡単な説明】
【００５０】
【図１】一実施形態による方法を実行する異なる構成要素間の信号フローの図である。
【図２】病院における一実施形態の使用の概略図である。
【図３】一実施形態による、ネットワーク制御ノードにおいて実行される方法のステップを示す流れ図である。
【図４】一実施形態による、着呼を受信するユーザ装置において実行されるステップを示す流れ図である。
【図５】一実施形態によるユーザ装置の図である。
【発明を実施するための形態】
【００５１】
実施形態をさらに詳細に論じる前に、まず、概観が与えられる。
【００５２】
通信ネットワークは、ユーザ装置を相互に通信可能にするために提供される。無線通信ネットワーク、特に携帯電話の使用が増加するにつれて、これらのデバイスを場合により消音して、ユーザが重要な仕事をする場合に邪魔されないようにすることが望ましい。しかしながら、ユーザまたはユーザのグループに遅滞なく連絡できることが重要な状況があり得る。
【００５３】
したがって、特定の緊急事態に行動することが要求され得る人々のグループに属するユーザ装置のセットに短縮ダイヤル番号をマッピングすることが望ましい場合がある。このようにして、この単一の番号に電話した発信者は、ユーザ装置のセットに呼が送られる。さらに、ユーザ装置は、通話開始メッセージまたは招待メッセージであり得る、着呼信号内の複合型の自動応答およびラウドスピーカーアクティブ化標識に応じて、呼に自動応答し、かつデバイスのラウドスピーカーをアクティブ化するように構成することができる。このようにして、ユーザ装置が消音に設定されており、ユーザがほとんどの着呼に気づかない場合であっても、この短縮ダイヤル番号は、それがマッピングされたユーザ装置に呼を受信させ、かつ発信者からのメッセージをラウドスピーカーから出力させる。
【００５４】
そのような実施形態の使用の一例は、病院でのものである。多くの多忙な専門家、たとえば医師は、仕事時間中の携帯電話の妨害を好まず、自分の携帯電話をサイレントモードに設定するか、またはいかなる着呼にも注意を払わないことが多い。しかしながら、呼は、場合により緊急電話であり得る。そのような緊急事態では、医師の電話機にラウドスピーカーを自動アクティブ化させ、着呼に自動応答させることによって、手動で呼に応答する必要なく、医師に緊急事態に気づかせることが望ましいであろう。
【００５５】
着呼が「遠隔スピーカーアクティブ化」についてマークされている場合、電話機は、現在の電話機設定を無視し、自動応答機能および電話機のラウドスピーカーをアクティブ化する。
【００５６】
ＶｏＩＰシステム用のこの一実装が、図１に示されている。
１）加入者はネットワークベースの短縮ダイヤル機能に加入することができ、いくつかのショートコード（短縮ダイヤル番号）のそれぞれについて、番号のリストがマッピングされ、自身のプロファイルに格納され得る。
２）ＶｏＩＰ通信システムの場合、ＳＩＰ（セッション開始プロトコル：ｓｅｓｓｉｏｎ  ｉｎｉｔｉａｔｉｏｎ  ｐｒｏｔｏｃｏｌ）の登録中に、ＵＥは「遠隔スピーカーアクティブ化」機能を設定し登録サーバに送信する。この処理のために、ＲＦＣ３８４０に記載の規格に従う。
３）登録サーバはこの情報をロケーションサーバに記録する。
４）通話セットアップ中に、発信者は、ＲＦＣ３８４１で定義された機能セット選好ヘッダに「遠隔スピーカーアクティブ化」を設定し、ショートコードを短縮ダイヤルする。
５）シグナリング経路上で、リクエストＵＲＩ（統一資源識別子）内のドメインを所有するプロキシサーバは、そのショートコードについてのマッピングされた番号のリストを取得し、発信者選好ヘッダを処理し、着信側の機能を確認する。
６）宛先ＵＥがこの機能をサポートする場合、プロキシサーバは招待を宛先に送り、そうでなければ、通常の拒否メッセージを送信することで呼が破棄される。
７）宛先ＳＩＰクライアント上で、「遠隔スピーカーアクティブ化」がマークされた招待を受信すると、対応するアプリケーションによって、処理の残りを行なって、呼に自動応答しスピーカーをアクティブ化する。通話が切断されると、変更された全ての設定が復元される。
【００５７】
この特別な呼を可能にするために必要な機能を提供するために、通信ネットワーク事業者によって請求を行うことができる。
【００５８】
本技術は特に、携帯電話通信、緊急アラートなどに関する。
【００５９】
例１（図２に図示）：
病院において、子供が緊急事態で入院し、小児外科医の相談を至急必要とすることを考える。以下は、関連する医師に至急電話することに関与する一連のステップである。
１）短縮ダイヤル番号の１つが全ての小児外科医の電話機にマッピングされ、電話機自体は、登録処理中に（ＲＦＣ３８４０で定義された）それらの機能に遠隔スピーカーアクティブ化サポートが設定される。
２）子供が入院した場合、病院の看護師は、全ての小児外科医にマッピングされた番号に短縮ダイヤルする。病院に勤務する全ての小児外科医に「５」がマッピングされているとしよう。また、電話は、ＲＦＣ３８４１で定義された機能セット選好において「遠隔スピーカーアクティブ化」として特別にマークされる。
３）プロキシサーバは、短縮ダイヤル番号についてのマッピングされた番号を取得する。
４）次いで、プロキシサーバは、これらの番号のいずれが「遠隔スピーカーアクティブ化」を現在サポートしているかを確認する。
５）プロキシサーバは、「遠隔スピーカーアクティブ化」をサポートする全ての番号にＩＮＶＩＴＥを設定する。
【００６０】
上記で概説されたように、短縮ダイヤル番号を用いて呼を１つまたは複数のユーザ装置に並行して送信することができ、これらは呼に応じて自動応答し、自身のラウドスピーカーをアクティブ化するように構成される。この機能を円滑化するために、通信ネットワーク内のネットワーク制御ノード、およびユーザ装置において適応があってもよい。
【００６１】
図３は、一実施形態によるネットワーク制御ノードにより実行される方法におけるステップを示す。これは、たとえば、ＬＴＥネットワークなどのモバイル通信ネットワークにおける基地局とすることができ、または図１に示された通信ネットワークにおけるプロキシサーバとすることができる。
【００６２】
着呼がネットワーク制御ノードにおいて受信され、呼がデータベースに格納された所定の番号宛であるかが決定される。これに関して、ネットワーク制御ノードは、自動応答およびラウドスピーカーアクティブ化機能をサポート可能な番号のデータベースを有する。これらの番号は、参加するユーザ装置からネットワーク制御ノードに送信されていてもよい。場合によっては、このデータベースは、この機能をサポートする単一のユーザ装置への短縮ダイヤル番号のマッピングを格納することができ、もしくはこの機能をサポートする複数のユーザ装置への短縮ダイヤル番号のマッピングを格納することができ、またはこの機能を適用可能なユーザ装置番号を単に格納することができる。
【００６３】
所定の番号がデータベースに格納されていない場合、呼信号は通常の方式でユーザ装置に送られる。データベースに格納されている場合、データベースにアクセスして、この番号がマッピングされたユーザ装置を識別する。
【００６４】
呼信号は、自動応答およびラウドスピーカー機能がこの特定の呼によって要求されているかを示すことができ、要求されていない場合、呼はデータベースで示されたユーザ装置に送られる。この機能が要求されていることが標識されている場合、ダイヤルされた番号がマッピングされたユーザ装置ごとに、識別されたユーザ装置が自動応答およびラウドスピーカー機能を現在サポートしているかが決定される。サポートしていない場合、そのユーザ装置についての拒否メッセージが送信され、呼がそのユーザ装置について破棄され、次のユーザ装置が検討される。識別されたユーザ装置が自動応答およびラウドスピーカー機能をサポートしている場合、自動応答およびラウドスピーカー機能が要求されているという標識子を有する呼信号がそのユーザ装置に送信され、データベース内の次のユーザ装置が検討され、処理が反復される。このようにして、自動応答およびラウドスピーカー機能を現在サポートしている、その番号がマッピングされたユーザ装置の全てが、この標識を有する呼信号を受信し、それらは全て、応答しラウドスピーカーをアクティブ化することによって呼信号に応じ、その結果ユーザ装置のそれぞれが、発信者により送信されたメッセージを出力することになる。
【００６５】
図４は、これらの呼信号を受信するユーザ装置において実行される方法のステップを示す。ユーザ装置は、ユーザによって自動応答およびラウドスピーカーアクティブ化機能をサポートするように構成することができ、この情報をネットワーク制御ノードに送信して、ネットワーク制御ノードが自動応答およびラウドスピーカー機能を現在サポートしているのはどのユーザ装置かを認識するようにする。
【００６６】
自動応答およびラウドスピーカー機能標識子を有する着呼信号が受信された場合、ユーザ装置は、呼信号に自動応答し、ラウドスピーカーをアクティブ化することによってこれに応じる。その後、この図には示されていないが、ユーザは、自動応答およびラウドスピーカー機能を今後サポートしないようにユーザ装置を構成することができ、この情報はネットワーク制御ノードに送信される。医師などであり得るユーザは、自分のシフトの終わりに病院を出るときに、これを行うことができる。
【００６７】
図５は、一実施形態によるユーザ装置５０を概略的に示す。ユーザ装置５０は、信号を送受信するためのアンテナ１０を、制御回路２０、ラウドスピーカー３０、入力デバイス４０およびデータ記憶３５と共に有する。制御回路２０は、呼に自動応答しラウドスピーカー３０をアクティブ化することによって、自動応答およびラウドスピーカー機能アクティブ化標識子を有する着呼信号に応じるようにユーザ装置５０を制御する。
【００６８】
また、ユーザ装置５０は、ユーザ入力を受信するための入力回路４０を有し、ユーザはこれを用いて、自動応答およびラウドスピーカー機能をサポートするかまたは無効化するように電話機を構成することができる。したがって、仕事に出かけるユーザは、自動応答およびラウドスピーカーアクティブ化機能をサポートするようにユーザ装置を構成することができ、ネットワークに登録すると、この構成情報はネットワーク制御ノードに送信され格納される。仕事を終えると、ユーザは、この機能を今後サポートしないようにユーザ装置を再構成することができ、この構成メッセージはネットワーク制御ノードに送信され、そのノードは自身が有する情報をこのユーザ装置について更新する。
【００６９】
データ記憶３５はユーザ装置についてのこの構成情報を記憶することができ、また、ユーザが入力した短縮ダイヤル番号を記憶することができる。ユーザ装置を用いてこの自動応答およびラウドスピーカーアクティブ化機能を有する他のユーザ装置に電話をかける場合、ユーザ装置は、ユーザが一回の呼で同時に連絡を望み得るユーザ装置のセットの、単一の短縮ダイヤル番号へのマッピングを記憶することができ、この短縮ダイヤル番号をデータ記憶３５に記憶することに加えて、このマッピングをネットワーク制御ノードに送信することができる。いくつかの実施形態では、短縮ダイヤル番号は、ユーザが短縮ダイヤル番号にダイヤルすると、確認入力要求がユーザに自動的に表示されるような確認機能に関連付けられたデータ記憶３５に記憶することができる。これは、自動応答およびラウドスピーカーアクティブ化機能をこの呼に適用したいかを確認するようにユーザに要求する。彼が肯定を示した場合、自動応答およびラウドスピーカー要求標識子が短縮ダイヤル呼信号と共に送信され、そうでない場合、そのような標識子は信号と共に送信されない。他の実施形態では、要求される確認が存在しない場合があり、ネットワーク制御ノードは、この短縮ダイヤル番号にマッピングされ、この自動応答およびラウドスピーカーアクティブ化機能を現在サポートしている全てのユーザ装置に送信される呼信号に標識子を適用するように構成される。
【００７０】
様々な上述の方法のステップが、プログラムされたコンピュータにより実施できることは当業者であれば容易に認識するであろう。本明細書では、いくつかの実施形態は、機械可読またはコンピュータ可読であり、機械実行可能またはコンピュータ実行可能な命令のプログラムであって、前記命令が前記上述の方法のステップの一部または全部を実行するプログラムを符号化するプログラム記憶デバイス、たとえばデジタルデータ記憶媒体も含むものとする。プログラム記憶デバイスは、たとえば、デジタルメモリ、磁気記憶媒体たとえば磁気ディスクおよび磁気テープ、ハードドライブ、または光学可読デジタルデータ記憶媒体とすることができる。また、実施形態は、上述の方法の前記ステップを実行するようにプログラムされるコンピュータを含むものとする。
【００７１】
図示された様々な要素の機能、たとえば「プロセッサ」または「ロジック」とラベル付けされた任意の機能ブロックは、専用のハードウェアを用いて、ならびに適切なソフトウェアに関連してソフトウェアを実行可能なハードウェアを用いて提供することができる。プロセッサにより提供される場合、それらの機能は、単一の専用のプロセッサ、単一の共有プロセッサ、または一部が共有され得る複数の個別プロセッサによって提供することができる。また、「プロセッサ」もしくは「コントローラ」または「ロジック」という用語の明示的な使用は、ソフトウェアを実行可能なハードウェアを排他的に指すように解釈されるべきではなく、暗黙的に、限定はしないが、デジタル信号プロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するための読み出し専用メモリ（ＲＯＭ）、ランダムアクセスメモリ（ＲＡＭ）、および不揮発性ストレージを含むことができる。また、従来型および／またはカスタム型の他のハードウェアを含むことができる。同様に、図示されたいかなるスイッチも概念的なものにすぎない。それらの機能は、プログラムロジックの動作を介して、専用のロジックを介して、プログラム制御および専用のロジックのインタラクションを介して、または手動でさえ実行することができ、特定の技法は、文脈からより具体的に理解されるように、実装者により選択可能である。
【００７２】
本明細書の任意のブロック図は、本発明の原理を具現化する例示的な回路の概念図を表すことは当業者には理解されたい。同様に、任意のフローチャート、流れ図、状態遷移図、疑似コードなどコンピュータ可読媒体に実質的に表現可能であり、したがって、コンピュータまたはプロセッサによる実行が、そのようなコンピュータまたはプロセッサが明示的に示されていようといまいと可能である様々な処理を表すことは理解されよう。
【００７３】
説明および図面は、本発明の原理を例示するにすぎない。したがって、本明細書では明示的に説明または図示されていないが、本発明の原理を具現化し、その精神および範囲に含まれる様々な構成を当業者が考案できることは理解されよう。さらに、本明細書に列挙された全ての例は、主に、本発明の原理および発明者により当技術分野の促進に捧げられた概念を理解する際に読者を補助する教育的な目的のためのものにすぎないことが明らかに意図されており、そのような具体的に列挙された例および条件への限定がないものと解釈されるべきである。さらに、本発明の原理、態様、および実施形態、ならびにその具体例を列挙した本明細書における全ての文は、その均等物を包含するものとする。
【図１】
2018501734.tif 000003
【図２】
2018501734.tif 000004
【図３】
2018501734.tif 000005
【図４】
2018501734.tif 000006
【図５】
2018501734.tif 000007
【国際調査報告】
2018501734.tif 000008
2018501734.tif 000009